(57)【特許請求の範囲】
【請求項１】
眼科用ポンプシステムであって、
空洞を画定する筐体と、
前記筐体の前記空洞内に位置付けられた回転要素と、
前記回転要素に隣接して前記筐体内に位置付けられた可撓性管状構造であって、その結果、前記回転要素の回転が前記可撓性管状構造を通して流体を推進する、可撓性管状構造と、
前記回転要素および前記可撓性管状構造の少なくとも一部分の周りで前記空洞内に位置付けられた潤滑溶液と、
を備え、
前記可撓性管状構造が、前記回転要素に隣接して少なくとも部分的に位置付けられた複数の構成要素を含み、その結果、前記回転要素が前記複数の構成要素のうちの２つ以上と同時に接触し、
前記複数の構成要素が第１の管状要素および第２の管状要素を含み、前記第１および第２の管状要素が前記筐体の周りに対称的に配置され、
前記筐体の周りに環状に伸展するチャネルであって、前記第１および第２の管状要素と流体連通する、チャネルをさらに備え、
前記第１および第２の管状要素は、該第１および第２の管状要素の近位部分において栓で終わる、
眼科用ポンプシステム。
【請求項２】
前記潤滑溶液が、平衡塩類溶液（ＢＳＳ）、平衡塩類溶液プラス（ＢＳＳ＋）、粘弾性溶液、および滅菌水、のうちの少なくとも１つを含む、請求項１に記載の眼科用ポンプシステム。
【請求項３】
前記可撓性管状構造の少なくとも一部分が前記筐体の縦軸に沿って伸展する、請求項１に記載の眼科用ポンプシステム。
【請求項４】
前記複数の構成要素が、前記筐体の遠位部分に配置された中心管状要素を含み、前記中心管状要素が前記第１および第２の管状要素と流体連通する、請求項１に記載の眼科用ポンプシステム。
【請求項５】
前記筐体から伸展する突出部であって、前記チャネルと流体連通する内腔を含む、突出部をさらに備える、請求項１に記載の眼科用ポンプシステム。
【請求項６】
前記筐体が手術用構成要素に機械的に連結され、その結果、前記可撓性管状構造が前記手術用構成要素の内腔と流体連通する、請求項１に記載の眼科用ポンプシステム。
【請求項７】
前記手術用構成要素が超音波水晶体乳化吸引術構成要素である、請求項６に記載の眼科用ポンプシステム。
【請求項８】
前記回転要素がスクロールポンプである、請求項１に記載の眼科用ポンプシステム。
【請求項９】
前記スクロールポンプが前記筐体に機械的に連結されたポンプ構成要素内に配置される、請求項８に記載の眼科用ポンプシステム。
【請求項１０】
眼科手術用装置での使用のための眼科用潤滑キットであって、
空洞を画定する筐体であって、前記空洞が、潤滑溶液で充填され、かつ回転要素を受容するように構成され、前記筐体が、その内部に位置付けられ、かつ前記回転要素が前記筐体内に受容されたとき前記回転要素に隣接するように構成された可撓性管状構造を含み、その結果、前記回転要素の回転が前記可撓性管状構造を通して流体を推進する、筐体と、
前記潤滑溶液の容器と、
を備え、
前記可撓性管状構造が、前記回転要素に隣接して少なくとも部分的に位置付けられた複数の構成要素を含み、その結果、前記回転要素が前記複数の構成要素のうちの２つ以上と同時に接触し、
前記可撓性管状構造が第１の管状要素および第２の管状要素を含み、該第１および第２の管状要素が前記筐体の周りに対称的に配置され、
前記筐体が、前記筐体の周りに環状に伸展するチャネルであって、前記第１および第２の管状要素と流体連通する、チャネルをさらに備え、
前記第１および第２の管状要素は、該第１および第２の管状要素の近位部分において栓で終わる、
眼科用潤滑キット。
【請求項１１】
前記潤滑溶液が、平衡塩類溶液（ＢＳＳ）、平衡塩類溶液プラス（ＢＳＳ＋）、粘弾性溶液、および滅菌水、のうちの少なくとも１つを含む、請求項１０に記載の眼科用潤滑キット。
【請求項１２】
前記筐体が、
前記筐体から伸展する突出部であって、前記チャネルと流体連通する内腔を含む、突出部をさらに備える、請求項１０に記載の眼科用潤滑キット。
【請求項１３】
前記筐体が手術用構成要素と機械的に連結されるように構成され、その結果、前記可撓性管状構造が前記手術用構成要素と流体連通する、請求項１０に記載の眼科用潤滑キット。
【発明の詳細な説明】
【技術分野】
【０００１】
本明細書で開示される装置、システム、および方法は概して、眼科手術に、より具体的には眼科手術用ハンドピースの構成要素間の潤滑を改善する装置に関連する。
【背景技術】
【０００２】
ヒトの眼は、角膜と呼ばれる澄んだ外側の一部分を通して光を伝導し、水晶体を経て網膜上に像の焦点を合わせることにより、視覚を提供するように機能する。この焦点が合った像の質は、眼のサイズおよび形状、角膜およびレンズの透明度を含む、多くの因子に依存する。年齢または疾患のためにレンズの透明度が下がったとき、網膜に伝導され得る光の減少のために、視覚は悪くなる。眼のレンズのこのような欠陥は医学的に白内障として知られる。この状態のための許容される治療は、レンズの外科的除去および人工眼内レンズ（ＩＯＬ）によるレンズ機能の置換である。
【０００３】
米国では、白内障レンズの大部分が、超音波水晶体乳化吸引術と呼ばれる外科技術により除去される。超音波水晶体乳化吸引術手順のために好適な、典型的な手術用ハンドピースは、超音波駆動水晶体乳化吸引術ハンドピース、および灌注はめ管で囲まれた、取り付けられた中空の切断針からなる。超音波水晶体乳化吸引術手順の間、切断針の先端および灌注はめ管の末端は眼の外組織の小さな切開を通って、眼の前部区分に挿入される。外科医は、振動する先端がレンズを断片化するように、切断針の先端を眼のレンズと接触させる。生ずる断片は、この手順中に眼に提供される灌注溶液と共に、切断針を通して眼から吸引される。
【０００４】
眼からレンズ断片および灌注溶液を吸引するためにポンプが手術用ハンドピースに統合されるとき、問題が生じる。例えば、ポンプの１つ以上の移動／回転要素が手術用ハンドピース内のシリコーン配管と接触するとき、摩擦が存在する。ポンプで利用されるシリコーンおよび／または他の弾性配管は十分に粘着性であり、その結果、この配管はポンプを作動させているモータ上に重いねじりモーメント負荷をかける。従って、モータは使用中に過熱する、または止まる場合がある。１つの可能性のある解決法は、より重いねじりモーメント負荷を扱い得るモータを利用することである。しかしながら、このことはより大きい、かつより重い手術用ハンドピースをもたらし、これは外科医が操作することが困難である場合があり、弾性配管に対する損傷の機会を増大させ、装置のコストを増大させる。外部潤滑コーティングおよび／または自己潤滑シリコーンなどの、他の可能性のある解決策は、潤滑材料が短期間後に配管から滑り落ちるために、無効であり、かつ問題があることが分かった。さらに、このような解決策は概して、製造段階で実行され、このことは費用を増大させ、手術手順前に操作者が有する自由度を低下させる。
【発明の概要】
【０００５】
統合手術用ハンドピースポンプと、この手術用ハンドピース内に含有された弾性配管との間の改善された潤滑についての要求が、まだ存在している。本開示は先行技術の１つ以上の欠陥を取り扱う。本明細書中で開示される実施形態は、眼科手術用ハンドピースに統合されたポンプに関連付けられた摩擦を低下させるための、潤滑溶液槽を利用する、装置、システム、および方法に関連する。
【０００６】
いくつかの実施形態と一致して、眼科用ポンプシステムが提供される。この眼科用ポンプシステムは、空洞を画定する筐体を含む。眼科用ポンプシステムは、この筐体の空洞内に位置付けられた回転要素を含む。眼科用ポンプシステムは、この回転要素に隣接して筐体内に位置付けられた可撓性管状構造を含み、その結果、この回転要素の回転はこの可撓性管状構造を通して流体を推進する。眼科用ポンプシステムは、回転要素および可撓性管状構造の少なくとも一部分の周りで空洞内に位置付けられた潤滑溶液を含む。
【０００７】
潤滑溶液は、平衡塩類溶液（ＢＳＳ）、平衡塩類溶液プラス（ＢＳＳ＋）、粘弾性溶液、および滅菌水、のうちの少なくとも１つを含むことができる。可撓性管状構造は筐体の縦軸に沿って少なくとも部分的に配置することができる。可撓性管状構造は、回転要素の周りに少なくとも部分的に分布した複数の構成要素を含むことができ、その結果、回転要素はこれらの複数の構成要素のうちの２つ以上と同時に接触する。複数の構成要素は第１の管状要素および第２の管状要素を含むことができ、この第１および第２の管状要素は筐体の周りに対称的に配置される。複数の構成要素は筐体の遠位部分に配置された中心管状要素を含むことができ、この中心管状要素は第１および第２の管状要素と流体連通する。眼科用ポンプシステムは筐体の周りに環状に伸展するチャネルを含むことができ、このチャネルは第１および第２の管状要素と流体連通する。眼科用ポンプシステムは筐体から斜めに伸展する突出部を含むことができ、この突出部はチャネルと流体連通する内腔を含み、その結果、流体は筐体から輸送される。筐体は手術用構成要素と機械的に連結することができ、その結果、可撓性管状構造は手術用構成要素と流体連通し、手術用構成要素は患者の眼から流体を吸引する。手術用構成要素は超音波水晶体乳化吸引術構成要素であり得る。回転要素はスクロールポンプであり得る。スクロールポンプは、筐体に機械的に連結されたポンプ構成要素内に配置することができる。
【０００８】
いくつかの実施形態と一致して、眼科手術用装置での使用のための眼科用潤滑キットが提供される。このキットは、空洞を画定する筐体を含む。この空洞は、潤滑溶液で充填され、かつ回転要素を受容するように構成される。筐体は、その内部に位置付けられ、かつ回転要素が筐体内に受容されたとき回転要素に隣接するように構成された可撓性管状構造を含み、その結果、回転要素の回転が可撓性管状構造を通して流体を推進する。キットは潤滑溶液の容器を含む。
【０００９】
潤滑溶液は、平衡塩類溶液（ＢＳＳ）、平衡塩類溶液プラス（ＢＳＳ＋）、粘弾性溶液、および滅菌水、のうちの少なくとも１つを含むことができる。可撓性管状構造は、回転要素に隣接して少なくとも部分的に位置付けられた複数の構成要素を含むことができ、その結果、回転要素はこれらの複数の構成要素のうちの２つ以上と同時に接触する。可撓性管状構造は第１の管状要素および第２の管状要素を含むことができ、この第１および第２の管状要素は筐体の周りに対称的に配置される。筐体は筐体の周りに環状に伸展するチャネルをさらに含むことができ、このチャネルは第１および第２の管状要素と流体連通する。筐体は筐体から伸展する突出部をさらに含むことができ、この突出部はチャネルと流体連通する内腔を含む。筐体は手術用構成要素と機械的に連結されるように構成することができ、その結果、可撓性管状構造は手術用構成要素と流体連通する。
【００１０】
いくつかの実施形態と一致して、眼科用ポンプシステムを組み立てる方法が提供される。この方法は、筐体であって、その内部に空洞および可撓性管状構造を含む、筐体を得ることを含む。この方法はこの空洞を潤滑溶液で充填することを含む。この方法は回転要素を潤滑溶液で充填された空洞内に挿入することを含み、その結果、この回転要素は可撓性管状構造に隣接して位置付けられる。この方法は回転要素を活性化することを含み、その結果、回転要素の回転は可撓性管状構造を通して流体を推進する。
【００１１】
いくつかの実施形態と一致して、眼科用ポンプシステムを潤滑化するための方法が提供される。この方法は、筐体の可撓性管状構造を通して流体を方向付けるためにポンプ構成要素の回転要素を回転することを含み、回転要素は筐体の空洞内に位置付けられ、可撓性管状構造は回転要素に隣接して筐体内に位置付けられる。この方法は、空洞内に配置され、かつ回転要素の少なくとも一部分および可撓性管状構造の少なくとも一部分と接触する潤滑溶液で、ポンプ構成要素のうちの１つ以上の要素を潤滑化することを含む。
【００１２】
本開示の追加の態様、特徴、および利点は以下の詳細な説明から明らかとなるであろう。
【００１３】
付属の図面は本明細書で開示される装置および方法の実施形態を例示し、説明と共に、本開示の原理を説明することを果たす。
【図面の簡単な説明】
【００１４】
【図１】眼科手術用制御卓システムの正面図の様式化図である。
【図２】眼科手術用制御卓システムのブロック図である。
【図３】眼科手術用ハンドピースの透視図の様式化図である。
【図４】眼科手術用ハンドピースのポンプ構成要素および潤滑構成要素の透視図の様式化図である。
【図５】眼科手術用装置の横断側面図の様式化図である。
【図６】眼科手術用装置の横断上面図の様式化図である。
【図７】眼科手術用装置の部分切除側面図の様式化図である。
【図８】眼科手術用装置の透視図の様式化図である。
【００１５】
図面で、同じ名称を有する要素は、同じまたは類似の機能を有する。
【発明を実施するための形態】
【００１６】
以下の説明では、ある実施形態を説明する特定の詳細が示される。しかしながら、開示された実施形態はこれらの特定の詳細のうちのいくつかまたは全てを伴わずに実施してもよいことが当業者に明らかであろう。示される特定の実施形態は例示であり、限定ではないことが意味される。当業者は、他の材料は、本明細書で具体的に記載されていなくても、本開示の範囲および趣旨内であることを認識し得る。記載された装置、システム、および方法、ならびに本開示の原理の任意のさらなる適用に対する、任意の代替およびさらなる改変は、本開示が関連する分野の当業者にとって通常起こり得るように、本開示内で完全に企図され、包含される。具体的には、１つの実施形態について説明された特徴、構成要素、および／またはステップは本開示の他の実施形態について説明された特徴、構成要素、および／またはステップと組み合わせてもよいことが完全に企図される。しかしながら、簡潔にするために、これらの組合せの多くの反復は別々に説明しない。
【００１７】
本開示の１つ以上の態様で、潤滑溶液槽を利用する統合ポンプを伴う眼科手術用ハンドピースが示され、説明される。この潤滑溶液槽は、ポンプを含むハンドピースの一部分に取り外し可能に連結された消耗品内に提供される。この消耗品は、潤滑溶液で充填された空洞を画定する筐体を含む。従って、筐体の内表面は潤滑溶液と接触する。また、消耗品は可撓性配管を含み、これを通して灌注流体および生物学的材料（例えば、レンズ断片）が患者から吸引される。この消耗品がハンドピースのポンプ部分と連結されたとき、ポンプの回転要素（例えば、スクロール、ローラ、など）は筐体内に受容され、これにより潤滑溶液で囲まれる。可撓性配管はスクロールポンプに隣接して筐体の空洞内に位置付けられ、その結果、ポンプの回転が可撓性配管を通して流体を推進する。スクロールが回転し、可撓性配管に沿って滑るとき、潤滑溶液はスクロールポンプと可撓性配管との間の潤滑を提供する。
【００１８】
本開示の１つ以上の態様で、潤滑溶液槽は、（スクロールと可撓性配管との間の摩擦の低下のために）回転するスクロールと関連付けられたモータ負荷の優れた低下を有利に提供する。また、摩擦の低下は、手術用ハンドピース、スクロール、モータ、可撓性配管、および／または手術用ハンドピースの他の構成要素の、作動寿命の延長を有利に可能にする。本開示の１つ以上の態様で、潤滑溶液槽は連続的および持続的潤滑性能を提供し、一方で、潤滑溶液は筐体内で保持される。潤滑溶液槽は摩擦を低下させるための有効な解決策であるので、他の潤滑材料は（例えば、外部の可撓性配管上で）使用される必要がない。従って、潤滑材料の交差汚染は有利に避けられる。本開示の１つ以上の態様で、手術手順中に容易に入手可能な流体（食塩水、滅菌水、など）は、潤滑溶液として使用してもよい。従って、潤滑溶液は操作者が手術手順直前に添加してもよい（例えば、食塩水は灌注供給線から添加され得る）。
【００１９】
以下の説明は概して、図１および２について言及する。図１は、眼科手術用制御卓システム１００の正面図の様式化図である。図２は、本開示の１つの実施形態に従う、制御卓システム１００のブロック図である。この制御卓システム１００は基部筐体１０２を含み、これはコンピュータシステム１０３、ならびに手術手順中にシステム作動および性能に関連するデータを示す、関連付けられた表示器スクリーン１０４を伴う。また、制御卓システム１００は、図２で示されるものなどの、いくつかのサブシステムのうちの少なくとも一部を含み、これらは手術手順を行うために共に使用される。これらのサブシステムのうちのいくつかは、筐体１０２から分離可能な、または筐体１０２上に配置されない、構成要素または要素を含む。例えば、サブシステムは、例えば、足ペダル１０８を含む足ペダルサブシステム１０６、およびハンドピース１１２の切断針に超音波振幅を提供する超音波発生器サブシステム１１６を含む。いくつかの実施形態では、例えば、ハンドピース１１２と統合された吸引および／または灌注ポンプを含む、流体工学サブシステム１１０のうちの１つ以上の構成要素は筐体１０２から離れて配置される。いくつかの実施形態では、ハンドピースから吸引された流体を受容するための排水袋はハンドピース１１２から離れて（例えば、制御卓筐体１０２の上または近くに）配置してもよい。ハンドピース１１２はそれ自体、統合的に形成され、または１つ以上の分離可能な構成要素を含んでよい（例えば、図３〜７で示されるように）。サブシステムはこの手順の様々な態様を行うために重複し、かつ協同する場合がある。
【００２０】
手術用ハンドピース１１２は、超音波駆動水晶体乳化吸引術ハンドピース、および灌注はめ管により囲まれた取り付けられた中空の切断針を含むことができる。ハンドピース１１２は電気ケーブルおよび可撓性導管により制御卓筐体１０２に取り付けてもよい。電気ケーブルを通して、制御卓システム１００（例えば、超音波発生器サブシステム１１６）は、ハンドピース１１２により、取り付けられた切断針に伝導された、動力レベルを変化させる。可撓性導管は手術部位に灌注流体を供給し、ハンドピース組立てを通して眼から吸引流体を引く。
【００２１】
ハンドピース１１２内の操作部は中心に置かれ、中空の共鳴棒または警音器は１セットの圧電性結晶に直接的に取り付けられる。この結晶は超音波水晶体乳化吸引術中に警音器および取り付けられた切断針の両方を駆動するために必要とされる要求される超音波振動を供給し、制御卓により制御される。結晶／警音器組立ては、可撓性取付けにより、中空体またはハンドピースの外殻内につるしてもよい。ハンドピース１１２の体は、この体の遠位末端の直径が減少した一部分または円錐形頭部で終わる。この円錐形頭部は、切断針の長さのほとんどを囲む中空の灌注はめ管を許容するように雄ねじであり得る。同様に、警音器の穴は切断先端の雄ねじ山を受容するように、その遠位末端で雌ねじであり得る。灌注はめ管は、円錐形頭部の雄ねじ山上にねじって取り付けられる雌ねじ穴を有する場合がある。切断針は、その先端が灌注はめ管の開放末端を過ぎて所定の量だけ突出するように、調節することができる。
【００２２】
超音波水晶体乳化吸引術手順を通して、灌注流体は眼にポンプ注入され、灌注はめ管と切断針との間を過ぎ、灌注はめ管の先端でおよび／または１つ以上の口、または灌注はめ管内にその末端近くに切開された開口部から眼内に出る。この灌注流体は、乳化されたレンズの除去中に眼の衰弱を防ぐので、重要である。また、灌注流体は超音波切断針の振動により発生した熱から眼組織を保護する。さらに、灌注流体は乳化されたレンズ断片を、眼からの吸引のために懸濁する。
【００２３】
流体工学サブシステム１１０は、眼からレンズ断片と共に灌注流体を吸引するために、制御卓筐体１０２上にまたは制御卓筐体１０２から離れて提供することができる。制御卓筐体１０２上に提供されたとき、流体工学サブシステム１１０は、手術用ハンドピース１１２を通して眼から灌注流体をポンプ汲み取りする流体工学カセットを含むことができる。可撓性導管は手術用ハンドピース１１２から、制御卓の流体工学カセットまで伸展する。いくつかの実施形態では、手術用ハンドピース１１２は統合された吸引ポンプを含む。このようなハンドピースは流体工学サブシステム１１０（例えば、流体工学カセット）を制御卓筐体１０２の外へ移動させ、手術用ハンドピース１１２内に吸引ポンプを提供する。
【００２４】
超音波水晶体乳化吸引術プロセス中に起こり得る、１つの一般的な合併症は吸引針の妨害または閉塞から生ずる。灌注流体および乳化された組織が眼の内部から中空の切断針を通して（例えば、制御卓筐体１０２で提供される）排水貯水槽へ吸引されるにつれて、針穴の直径より大きい組織片が針の先端内で詰まるようになる場合がある。先端が詰まる一方で、真空圧は先端内で蓄積する。目詰まりが除去されたときに眼内の前部チャンバー内で生ずる圧の急降下は閉塞後急変として知られる。この閉塞後急変は、いくつかの場合、比較的大量の流体および組織があまりに速く、眼から吸引されることをもたらす場合があり、可能性として眼の衰弱を引き起こし、および／またはレンズカプセルが裂けることを引き起こす。吸引ポンプが手術用ハンドピース１１２内に提供されたとき、ポンプと眼との間の距離は低下される。その結果、閉塞後急変を低下させることができ、眼の内部チャンバー内のチャンバー安定性を増大させることができる。
【００２５】
図３は、本開示の１つの実施形態に従う、眼科手術用ハンドピースの透視図の様式化図である。手術用ハンドピース１５０は図１および２の手術用ハンドピース１１２と類似してもよい。手術用ハンドピース１５０は流動的に、電気的に、および／または別の方法で、制御卓システム１００の他の構成要素と連結してもよい。例えば、１つ以上の電気ケーブル、可撓性導管などは、手術用ハンドピース１５０を制御卓筐体１０２に接続することができる。手術用ハンドピース１５０は手術用構成要素１６０、ポンプ構成要素１７０、および潤滑構成要素１８０を含む。図３は、別々の構成要素１６０、１７０、１８０のモジュラー組立てとしての手術用ハンドピース１５０を示す。いくつかの実施形態では、手術用ハンドピース１５０は統合的に形成される場合があるが、一方で、それでも、構成要素１６０、１７０、１８０を含む。
【００２６】
手術用構成要素１６０は、患者に眼科手術手順を行うための１つ以上の要素を含んでよい。図３の実施形態では、手術用構成要素１６０は超音波水晶体乳化吸引術ハンドピースである。他の実施形態では、手術用構成要素１６０はカプセル研磨などのために使用してもよい。手術用構成要素１６０は、近位部分１６１、遠位部分１６３、灌注線接続器１６２、および電気接続器１６４を含む。電気接続器１６４は電気ケーブルに取り外し可能に連結してもよく、手術用構成要素１６０の１つ以上の態様（例えば、圧電性結晶）に動力を供給し、例えば、超音波水晶体乳化吸引術用先端１６７の振動を引き起こす。灌注線接続器１６２は、手術用構成要素に灌注流体を提供する可撓性導管に取り外し可能に連結してもよい。流体は手術手順中に、眼に分注してもよい。手術用構成要素１６０は、遠位部分１６３で超音波水晶体乳化吸引術用先端１６７を含む。超音波水晶体乳化吸引術用先端または針１６７は、手術用構成要素１６０の遠位部分１６３に取り外し可能に、機械的に連結してもよい。弾性はめ管１６６は超音波水晶体乳化吸引術用先端１６７の周りに環状に配置され、手術用構成要素１６０の遠位部分１６３に機械的に連結される場合がある。超音波水晶体乳化吸引術用先端１６７は手術手順中に、例えば、眼を振動させ、かつ眼と接触し得る。灌注流体および／または生物学的物質の断片は超音波水晶体乳化吸引術用先端１６７を通して手術用構成要素１６０に吸引される場合がある。例えば、超音波水晶体乳化吸引術用先端１６７および手術用構成要素１６０はそれぞれ、中心内腔を含んでよく、これらを通して流体および／または生物学的物質が吸引される。これらの内腔は、それぞれ、超音波水晶体乳化吸引術用先端１６７および手術用構成要素１６０の全体の縦軸に沿って伸展し得る。いくつかの実施形態では、これらの内腔は、それらが、それぞれ、超音波水晶体乳化吸引術用先端１６７および手術用構成要素１６０に対して同軸性に配置される点で、「中心」であり得る。他の実施形態では、これらの内腔の全てまたはいくつかの部分は中心からずれている場合がある。超音波水晶体乳化吸引術用先端１６７および手術用構成要素１６０の中心内腔は整列される場合があり、その結果、超音波水晶体乳化吸引術用先端１６７および手術用構成要素１６０は流体連通する。超音波水晶体乳化吸引術用先端１６７および弾性はめ管１６６と手術用構成要素１６０との選択的嵌合は、超音波水晶体乳化吸引術用先端１６７および弾性はめ管１６６が単回手順での使用のために構成された使い捨て構成要素であることを許容し、一方で、手術用構成要素１６０は再使用可能な構成要素であり、これは（例えば、オートクレーブ手順を用いて）滅菌し、多数回の手順で使用することができる。
【００２７】
ポンプ構成要素１７０は、使い捨て先端１６６、手術用構成要素１６０、および潤滑構成要素１８０を通して、眼から灌注流体および／または生物学的物質を引くための１つ以上の要素を含んでよい。例示的な実施形態に従って、この１つ以上の要素はスクロールおよびこのスクロールを作動させるモータを含む。電気ケーブル／接続器１７４は、スクロールを作動させるためにモータに動力を提供する電気ケーブルに連結される場合がある。ポンプ構成要素１７０は潤滑構成要素１８０に取り外し可能に連結してもよい。例えば、ポンプ構成要素１７０の遠位部分は潤滑構成要素１８０内に受容される場合がある。
【００２８】
潤滑構成要素１８０は、潤滑構成要素１８０の１つ以上の他の要素とポンプ構成要素１７０の１つ以上の要素との間の摩擦を低下させるための１つ以上の要素を、これらの要素が接触するとき、含んでよい。いくつかの実施形態では、潤滑構成要素１８０は単回手順での使用のために構成された使い捨て構成要素である。潤滑構成要素１８０は消耗品として説明することができる。いくつかの実施形態では、潤滑構成要素１８０は、（例えば、オートクレーブ手順を用いて）滅菌され、多数回の手順で使用され得る構成要素である。いくつかの実施形態では、潤滑構成要素１８０は１つ以上の他の構成要素（例えば、手術用構成要素１６０および／またはポンプ構成要素１７０）と統合的に形成される。潤滑構成要素１８０は、内部空洞を画定する筐体１８２を含む。空洞は潤滑溶液で充填されてもよい。潤滑溶液は、手術用ハンドピース１５０が手術手順前に組み立てられるにつれて（例えば、自動で、半自動で）自己充填され、または手術手順前にエンドユーザにより手動で充填される場合がある。また、潤滑構成要素１８０は可撓性管状構造を含む。可撓性管状構造は、潤滑構成要素１８０を通して灌注流体および／または生物学的材料を運搬するように構成される。いくつかの実施形態では、可撓性管状構造は多数の部または区域を含む。例えば、可撓性管状構造は遠位部分１８６で統一された区域、および筐体の長さに沿って伸展する二分枝の区域を含むことができる。可撓性管状構造の１つ以上の区域は、潤滑溶液を伴う空洞に隣接してもよい。いくつかの実施形態では、可撓性管状構造は空洞の内表面を少なくとも部分的に画定する場合がある。他の実施形態では、可撓性管状構造の１つ以上の区域は空洞を画定する筐体の一部分に隣接し、その結果、空洞を画定する内表面との（例えば、ポンプ構成要素１７０の回転要素による）接触は、（例えば、空洞を画定する可撓性壁を通した）管状構造との間接的接触をもたらす。
【００２９】
潤滑構成要素１８０の遠位部分１８６は手術用構成要素１６０の近位部分１６１に連結してもよい。本明細書で説明されるように、手術用構成要素１６０の中心内腔は患者の眼から流体および／または生物学的物質を運搬する。可撓性管状構造の１つの区域は手術用構成要素１６０の中心内腔と整列される場合があり、その結果、手術用構成要素１６０と潤滑構成要素１８０とは流体連通する。従って、流体および／または生物学的物質は患者の眼から遠位先端１６６、手術用構成要素１６０、および潤滑構成要素１８０を通して運搬される場合がある。潤滑構成要素１８０は吸引突出部１９４を含んでよく、これは可撓性導管に取り外し可能に連結してもよい。潤滑構成要素１８０内の流体および／または生物学的物質は、患者および／または手術用ハンドピース１５０から、吸引突出部１９４に連結された可撓性導管を経由して排除してもよい。いくつかの実施形態では、吸引突出部１９４はルアーテーパを含む場合がある。しかしながら、任意の種類の選択的嵌合特徴（単数または複数）または接続器が吸引突出部１９４を対応する可撓性導管に連結するために利用され得ることが理解され、他の接続型のうち、圧入、ルアーロック、ねじ山、およびこれらの組合せが挙げられるが、これらに限定されない。
【００３０】
潤滑構成要素１８０はポンプ構成要素１７０に取り外し可能に連結される。例えば、ポンプ構成要素１７０の遠位部分は、周囲の周りに、かつ実質的に潤滑構成要素１８０の長さに沿って伸展する縦軸溝内に受容される場合がある。潤滑構成要素１８０およびポンプ構成要素１７０がこのように連結されたとき、ポンプ構成要素１７０の回転要素（例えば、スクロール）は潤滑構成要素１８０の筐体により画定される空洞内に受容される。本明細書で説明されるように、空洞は潤滑溶液で充填され、一旦、空洞内に挿入されたら、回転要素は潤滑溶液で囲まれる。また、一旦、空洞内に挿入されたら、回転要素は潤滑構成要素１８０の可撓性管状構造の１つ以上の区域に隣接して位置付けられる。すなわち、回転要素の少なくともいくつかの部分は可撓性管状構造の部分と直接的にまたは間接的に接触する。回転要素と接触している可撓性管状構造の部分は一時的に（例えば、回転要素がその部分と、もはや接触しなくなるまで）変形される場合がある。可撓性管状構造の１つ以上の区域は可撓性、弾性、および／または弾力的な材料（例えば、シリコーン）から形成してもよい。
【００３１】
回転要素は蠕動型ポンプとして機能してもよく、遠位先端１６６、手術用構成要素１６０、および潤滑構成要素１８０を通して、灌注流体および／または生物学的材料の流動を引き起こす。回転が引き起こされたとき、回転要素（例えば、スクロール）は可撓性管状構造の部分に沿って滑り、かつそれらを圧搾する。このことは可撓性管状構造に沿った流体の巨塊の動きをもたらす。移動する巨塊に続いて、真空が創出され、これは追加の流体により充填される。スクロールの回転が続くにつれて、流体および／または生物学的材料は可撓性管状構造を通して（例えば、吸引突出部１６４に向かって、かつ手術用ハンドピース１５０から離れるように）推進される。図３の実施形態では、流体流動は手術用ハンドピース１５０の左から右であり得る。他の実施形態では、流体が手術用ハンドピース１５０の右から左へ流動するように、回転要素を作動させてもよい。潤滑構成要素１８０と、手術用構成要素１６０およびポンプ構成要素１７０との選択的嵌合は、潤滑構成要素１８０が単回手順での使用のために構成される使い捨て構成要素であることを許容し、一方で、手術用構成要素１６０およびポンプ構成要素１７０は再使用可能な構成要素であり、これらは（例えば、オートクレーブ手順を用いて）滅菌し、多数回の手順で使用することができる。
【００３２】
図４は、本開示の１つの実施形態に従う、眼科手術用ハンドピースのポンプ構成要素および潤滑構成要素の透視図の様式化図である。ポンプ構成要素１７０は回転要素１７２を含む。図４の実施形態では、回転要素１７２はスクロールである。他の実施形態では、回転要素１７２は、潤滑構成要素１８０の可撓性管状構造の様々な部分と接触する、それらに力を適用する、それらに沿って滑る、および／またはそれらを圧搾するように構成される、１つ以上の他の部であってもよい。回転要素１７２はスクロールであるので、その多数の部分は可撓性管状構造と同時に接触する場合がある。回転要素１７２はポンプ構成要素１７０内に収容されるモータにより作動させてもよい。このモータは、ポンプ構成要素１７０の近位部分１７７に配置される、電気ケーブル／接続器１７４により動力を供給され得る。ポンプ構成要素１７０は概して、円柱状に形作られることが示される。いくつかの実施形態では、ポンプ構成要素１７０は異なって形作られる。概して、ポンプ構成要素１７０は、操作者による握り、様々な構成要素の連結を促進する、または別の方法でこの装置の機能性または美観を改善するために構成されるものを含む、任意の形状を有してもよい。近位部分１７７は概して、閉鎖され得るが、一方で、遠位部分１７６は概して、開放され得る。遠位部分１７６は安全器１７８を含む。いくつかの実施形態では、安全器１７８はひじまたは文字「Ｌ」に類似して形作られる。安全器１７８は縦軸区域および横軸区域を含む多数の区域を含んでよい。安全器１７８は他の実施形態では異なって形作られ得る。遠位部分１７６は潤滑構成要素１８０の対応する溝１８８内に受容される場合がある。
【００３３】
潤滑構成要素１８０は筐体１８２を含む。筐体１８２は概して、円柱状に形作られることが示される。近位部分１８４は概して、開放されていることが示される。遠位部分１８６は先細になっており、概して閉鎖されていることが示される。遠位部分１８６は手術用構成要素内に受容される場合があり、潤滑構成要素１８０と手術用構成要素とを共に連結する。いくつかの実施形態では、潤滑構成要素１８０は異なって形作られ得る。概して、潤滑構成要素１８０は、操作者による握り、様々な構成要素の連結を促進する、または別の方法でこの装置の機能性または美観を改善するように構成されるものを含む、任意の形状を有してもよい。潤滑構成要素１８０は、斜角で筐体１８２から離れるように伸展する吸引突出部１９４を含む。吸引突出部１９４は内腔を含み、これを通して流体および／または生物学的材料が患者および／または手術用ハンドピースから排除される。
【００３４】
潤滑構成要素１８０の内部は、空洞１９０を画定する筐体１８２の内表面１９２を含む。空洞１９０を画定する筐体１８２の部分または構成要素は、可撓性、弾性、および／または弾力的な材料から形成してもよい。また、空洞１９０を画定する筐体１８２の部分または構成要素は、いくつかの場合、硬質プラスティックまたは金属などの、堅い材料から形成してもよい。空洞１９０は、ポンプ構成要素１７０および潤滑構成要素１８０が嵌合される前に潤滑溶液で充填され得る。いくつかの実施形態では、潤滑溶液は、手術手順中に容易に入手可能な流体である。例えば、潤滑溶液は、平衡塩類溶液（ＢＳＳ）、平衡塩類溶液プラス（ＢＳＳ＋）、粘弾性溶液、および滅菌水のうちの１つ以上であってもよい。他の実施形態では、様々な流体を使用してもよい。潤滑構成要素１８０は溝１８８を含み、これはポンプ構成要素１７０の遠位部分１７６を受容する場合がある。溝１８８は筐体１８２の周囲の周りに環状に配置され、および／または筐体１８２の周囲の周りに伸展してもよい。溝１８８は潤滑構成要素１８０の実質的な部分の縦軸に沿って伸展してもよい。
【００３５】
図４は、ポンプ構成要素１７０および潤滑構成要素１８０が嵌合され、または別の方法で連結される前の、ポンプ構成要素１７０および潤滑構成要素１８０を示す。いくつかの実施形態では、ポンプ構成要素１７０の遠位部分１７６は潤滑構成要素１８０の溝１８８内に受容される。ポンプ構成要素１７０と潤滑構成要素１８０とが嵌合されたとき、遠位部分１７６は溝１８８内に滑り込む場合があり、その結果、吸引突出部１９４は安全器１７８の縦軸区域と一列に並ぶ。一旦、安全器１７８の縦軸区域が取り除かれたら、潤滑構成要素１８０およびポンプ構成要素１７０のうちの１つまたは両方が回転される場合があり、その結果、吸引突出部１９４は安全器１７８の横軸区域内に受容される。一旦、安全器１７８の横軸区域内に受容されたら、ポンプ構成要素１７０および潤滑構成要素１８０は着脱可能に共に固定される。回転要素１７２は、潤滑溶液で充填された空洞１９０内に受容される場合がある。回転要素１７２は、潤滑構成要素１８０の筐体１８２の内表面１９２および／または可撓性管状構造の部分に隣接して配置してもよい。
【００３６】
いくつかの実施形態では、ポンプ構成要素１７０および潤滑構成要素１８０の構造は様々に形作られる場合があり、これらの２つの構成要素の連結を促進するための、追加のおよび／または様々な特徴などを含む。例えば、潤滑構成要素の内表面はねじ山を有してもよく、ポンプ構成要素１７０の反対の表面は反対のねじ山を有してもよい。潤滑構成要素１８０およびポンプ構成要素１７０は、嵌合されるとき、共にねじって取り付けられる場合がある。図４は、ポンプ構成要素１７０および潤滑構成要素１８０が着脱可能に連結されることを説明するが、いくつかの実施形態では、ポンプ構成要素１７０および潤滑構成要素１８０は統合的に形成され得る。
【００３７】
以下の説明は概して、図５、６、および７について言及する。図５は、眼科手術用装置の横断側面図の様式化図である。図６は、眼科手術用装置の横断上面図の様式化図である。図７は、眼科手術用装置の部分切除側面図の様式化図である。
【００３８】
手術用ハンドピース１５０は、手術用構成要素１６０、潤滑構成要素１８０、およびポンプ構成要素１７０を含む。各構成要素は手術用ハンドピース１５０の縦軸に沿って配置される。いくつかの実施形態では、潤滑構成要素１８０は手術用構成要素１６０とポンプ構成要素１７０との間に縦軸に沿って配置してもよい。他の実施形態では、これらの３つの構成要素の相対的設置は異なってもよい。図５および６の実施形態では、手術用構成要素は超音波水晶体乳化吸引術構成要素であることが示される。いくつかの実施形態では、手術用ハンドピース１５０は、より多い、より少ない、および／または異なる構成要素を含む。
【００３９】
また、手術用構成要素１６０は、手術課題のその性能に関連付けられた、１つ以上の構成要素を含む。例えば、手術用構成要素１６０は、超音波水晶体乳化吸引術構成要素の警音器の振動を引き起こす圧電性結晶を含む場合がある。超音波水晶体乳化吸引術用先端または針１６７は手術用構成要素１６０の遠位部分１６３および振動する警音器に機械的に連結してもよく、振動する警音器は今度は、超音波水晶体乳化吸引術用先端１６７の振動を引き起こす。灌注線接続器（例えば、図１の灌注線接続器１６２）に連結された可撓性導管を通して受容された灌注流体は、超音波水晶体乳化吸引術用先端１６７の周りに環状に配置された灌注内腔１６９を経由して患者の眼に提供することができる。灌注内腔１６９は超音波水晶体乳化吸引術用先端１６７と弾性はめ管１６６との間に、超音波水晶体乳化吸引術用先端１６７の遠位部分の縦軸に沿って伸展することができる。弾性はめ管１６６は超音波水晶体乳化吸引術用先端１６７の周りに環状に配置してもよい。超音波水晶体乳化吸引術用先端１６７は中心内腔１６５を含み、これを通して灌注流体および／または生物学的材料が眼から吸引される。手術用構成要素１６０は、その全長の縦軸に沿って伸展する中心内腔１６８を含む。超音波水晶体乳化吸引術用先端１６７の中心内腔１６５は手術用構成要素１６０の中心内腔１６８と整列されることが示され、その結果、超音波水晶体乳化吸引術用先端１６７および手術用構成要素１６０は流体連通する。超音波水晶体乳化吸引術用先端１６７の中心内腔１６５を通して眼から受容された灌注流体および／または生物学的材料は、手術用構成要素１６０を通して、中心内腔１６８を経由して眼から遠くへ移動する。
【００４０】
手術用構成要素１６０の近位部分１６１は潤滑構成要素１８０の遠位部分１８６と嵌合され、および／または別の方法で連結される。潤滑構成要素１８０の遠位部分１８６は先細になった区域を含み、これは手術用構成要素１６０の近位部分１６１内に部分的に受容され、かつこの近位部分１６１を部分的に受容する。
【００４１】
潤滑構成要素１８０は、概して１９９と呼ばれる可撓性管状構造を含む。可撓性管状構造１９９は潤滑構成要素１８０内で灌注流体および／または生物学的材料を運搬する。可撓性管状構造１９９は、遠位部分１８６内に配置された中心区域２０６を含む、多数の区域を含む。中心区域２０６は、手術用構成要素１６０が潤滑構成要素１８０と連結されたとき、手術用構成要素１６０の中心内腔１６８と整列される。従って、手術用構成要素１６０と潤滑構成要素１８０とは流体連通する。中心区域２０６は可撓性管状構造１９９の統一された区域であってもよい。可撓性管状構造１９９の二分枝の区域は、潤滑構成要素１８０の長さに実質的に沿って近位部分１８４と遠位部分１８６との間に伸展してもよい。二分枝の区域は可撓性管状構成要素１９８、２００を含んでよい。可撓性管状構成要素１９８、２００の両方を有することは、流動能力の改善を有利に提供する。また、それは、可撓性管状構成要素がより小さい横断面を有することを許容し、このより小さい横断面は潤滑構成要素１８０の他の要素がその中に適切に嵌め込まれること、潤滑構成要素１８０がそれ自体、より小さい横断面を有することなどを許容する。
【００４２】
いくつかの実施形態では、可撓性管状構成要素１９８、２００は、回転要素１７２および／または筐体１８２の周りに互いに反対に配置される場合がある。例えば、可撓性管状構成要素１９８、２００は例示された実施形態では互いに約１８０°離れて配置される。他の実施形態では、可撓性管状構成要素１９８、２００は互いに対して１８０°超または１８０°未満の角度で配置される場合がある。可撓性管状構成要素１９８、２００は筐体１８２の周りに対称的に配置してもよい。図７で示されるように、中心区域２０６は接続管状構成要素２０８、２１０を経由して可撓性管状構成要素１９８、２００に分かれてもよい。接続管状構成要素２０８、２１０は、互いに対して反対方向に、潤滑構成要素１８０の外部に向かってそれぞれ伸展することが示される。可撓性管状構成要素１９８、２００は接続管状構成要素２０８、２１０に対して長軸に沿って伸展する。接続管状構成要素２０８、２１０は、中心区域２０６および可撓性管状構成要素１９８、２００に対して右角度で配置されることが示される。他の実施形態では、接続管状構成要素２０８、２１０は可撓性管状構造１９９の他の区域に対して９０°超または９０°未満の角度で配置される場合がある。可撓性管状構造１９９の二分枝の区域の可撓性管状構成要素１９８、２００は、近位部分１８４の栓２１０で終わる場合がある。栓２１０は可撓性管状構造１９９を通した流体および／または生物学的材料のさらなる排除を防ぎ得る。
【００４３】
また、潤滑構成要素１８０は、潤滑構成要素１８０の筐体１８２および／または縦軸の周りに少なくとも部分的に環状に配置されたチャネル２０２を含む。チャネル２０２は筐体１８２の周囲の周りに少なくとも部分的に伸展してもよい。一旦、流体および／または生物学的材料が可撓性管状構成要素１９８、２００を経由して遠位部分１８６から近位部分１８４へ移動したら、流体および／または生物学的材料はチャネル２０２に進む場合がある（例えば、栓２１０がさらなる縦軸に沿った排除を防ぐため）。チャネル２０２は可撓性管状構成要素１９８、２００から潤滑構成要素１８０の外部に向かって伸展してもよい。他の実施形態では、チャネル２０２は潤滑構成要素１８０の内部に向かって伸展する場合がある。例示された実施形態では、可撓性管状構成要素１９８、２００からのチャネル２０２の入口は、可撓性管状構成要素１９８、２００に対して右角度で配置される。他の実施形態では、チャネル２０２の入口は可撓性管状構成要素１９８、２００に対して９０°超または９０°未満の角度で配置される場合がある。チャネル２０２は吸引突出部１９４により画定される内腔２９６の基部２０４を含んでよい。基部２０４は、流体が可撓性管状構造１９９の二分枝の区域を通過した後、単一の内腔で合流される、潤滑構成要素１８０の場所を示す場合がある。従って、流体が手術用ハンドピース１５０を通して患者の眼から吸引されるとき、この流体は単一の内腔を通って通過し、その後、２つ以上の内腔にわたり分割され、その後、単一の内腔に再混合される場合がある。例えば、流体は患者の眼から使い捨て先端１６６を通して手術用構成要素１６０へ吸引される場合があり、その後、中心内腔２０６を通り抜け、その後、接続管状構成要素２０８、２１０の間で分割され、可撓性管状構成要素１９８、２００を通る別々の経路に沿って移動し、可撓性管状構成要素１９８、２００からチャネル２０２の２つの入口に入り、最後に再混合され、チャネル２０２から突出部２９４の内腔２９６へ出力される。
【００４４】
図５、６、および７は、潤滑構成要素１８０に嵌合され、および／または別の方法で連結されたポンプ構成要素１７０を示す。ポンプ構成要素１７０の遠位部分１７６は潤滑構成要素１８０の対応する溝（例えば、図４の溝１８８）内に受容される場合がある。ポンプ構成要素１７０の近位部分１７７は電気ケーブル／接続器１７４を含む。電気ケーブル／接続器１７４は、ポンプ構成要素１７０の筐体の内側に含有されるモータ１７１に動力を提供する。モータ１７１は回転要素１７２を作動させる。いくつかの実施形態では、回転要素１７２はスクロールポンプである。他の実施形態では、様々なポンプが提供され得る（例えば、ローラなど）。回転要素１７２の実質的な部分および／または全体は、潤滑構成要素１８０およびポンプ構成要素１７０が連結されたとき、潤滑構成要素１８０の容積内に配置される。回転要素１７２は、潤滑溶液を保持する潤滑構成要素１８０の空洞（例えば、図４の空洞１９０）内に位置付けられる。また、回転要素１７２はこの空洞と共に位置付けられ、その結果、回転要素１７２は可撓性管状構造１９９の二分枝の区域に隣接する。回転要素１７２の部分は筐体の内表面（例えば、図４の内表面１９２）と接触するようになる場合がある。筐体の内部は可撓性、弾性、および／または弾力的な材料で形成してもよい。可撓性管状構造１９９の二分枝の区域（例えば、可撓性管状構成要素１９８、２００）は、回転要素１７２が筐体の内表面と接触するとき、筐体の内表面に隣接するので、可撓性管状構造１９９もまた、この接触により変形される。これは可撓性管状構造１９９と回転要素１７２との間の間接的な接触として説明される場合がある。いくつかの実施形態では、可撓性管状構造１９９は筐体の内表面の少なくとも一部を形成し、または筐体の空洞内に位置付けられる場合があり、その結果、可撓性管状構造１９９と回転要素１７２との間で直接的な接触がなされる。
【００４５】
図５および６で、可撓性管状構成要素１９８、２００の部分は回転要素１７２の接触により変形されることが示される。従って、有利に、回転要素１７２は管状構成要素１９８、２００と直接的にまたは間接的に接触するようになり、一方で、回転要素１７２は潤滑溶液で囲まれ、筐体の内表面（例えば、図４の内表面１９２）は潤滑溶液と接触する。回転要素１７２が回転するにつれ、回転要素１７２の部分は可撓性管状構成要素１９８、２００の部分と様々に接触するようになる。可撓性管状構成要素１９８、２００は筐体１８２内で、かつ回転要素１７２の周りで互いに１８０°に（例えば、対称的に）配置されるので、回転要素１７２は可撓性管状構成要素１９８および２００のそれぞれと同時に接触する。回転要素１７２の回転は可撓性管状構造１９９を通して流体および／または生物学的材料を推進する。潤滑構成要素内でのこのような流体の推進は、流体が例えば、使い捨て先端１６６から、手術用構成要素１６０を通って、潤滑構成要素１８０へ、吸引突出部１９４に連結された可撓性導管を経由して手術用ハンドピース１５０から離れるように移動することをもたらす。
【００４６】
潤滑構成要素１８０は、空洞１９０からの潤滑溶液の所望されない漏れを防ぐように構成された密封２０３を含むことができる。密封２０３は弾性材料から形成され、潤滑構成要素１８０の周りに環状に伸展することができる。ポンプ構成要素１７０が潤滑構成要素１８０に連結されたとき、ポンプ構成要素１７０は密封２０３を押しつけることができ、その結果、密封２０３は潤滑溶液が空洞１９０から漏れることを防ぐ障壁を形成する。
【００４７】
使用では、操作者が、本明細書で説明される手術用ハンドピース１５０の眼科用ポンプシステムを組み立てる場合がある。１つの実施形態では、筐体１８２が得られる場合がある。筐体１８２は、その内部に、空洞１９０および可撓性管状構造１９９を含む。操作者は空洞１９０を潤滑溶液で充填してもよい。操作者はその後、回転要素１７２を、潤滑溶液で充填された空洞内に挿入してもよく、その結果、回転要素は可撓性管状構造に隣接して位置付けられる。例えば、操作者は、操作者が潤滑構成要素１８０とポンプ構成要素１７０とを互いに連結するとき、回転要素１７２を空洞１９０内に挿入してもよい。操作者は回転要素を活性化してもよく、その結果、回転要素の回転は可撓性管状構造を通して流体を推進する。いくつかの実施形態では、操作者は、潤滑構成要素１８０の筐体１８２を手術用構成要素１６０にさらに連結してもよい。
【００４８】
図８は、本開示の１つの実施形態に従う、眼科手術用ハンドピースの透視図の様式化図である。手術用ハンドピース２５０は、手術用ハンドピース２５０が手術用構成要素２２０、潤滑構成要素２４０、およびポンプ構成要素２３０を含む点で、手術用ハンドピース１５０（図３、５、および６）に類似する。しかしながら、手術用ハンドピース２５０はいくつかの点で手術用ハンドピース１５０とは異なる。第１に、潤滑構成要素２４０の可撓性管状構造２４２は（統一された、いくつかの区域、および二分枝のいくつかの区域を含む、様々な区域を有する可撓性管状構造と対照的に）単一の、統一された構造であることが示される。第２に、手術用ハンドピース２５０の１つ以上の構成要素は、取り外し可能に連結された個々のモジュール（例えば、手術用構成要素２２０、潤滑構成要素２３２、およびポンプ構成要素２３０に対応する３つのモジュール）から形成されることとは対照的に、統合的に形成され得る。例えば、潤滑構成要素２４０およびポンプ構成要素２３０は統合的に形成され、手術用構成要素２２０に取り外し可能に連結される場合がある。手術用構成要素２２０は灌注線接続器２２２および電気ケーブル／接続器２６４を含む。ポンプ構成要素２３０は回転要素２３２を含む。潤滑構成要素２４０は可撓性管状構造２４２を含み、これを通して流体および／または生物学的材料が手術用ハンドピース２５０から吸引される。潤滑溶液は潤滑構成要素２４０の筐体２５０により画定される空洞内に提供してもよい。いくつかの実施形態では、筐体２５０の空洞は、ポンプ構成要素および／または潤滑構成要素の製造中に（例えば、ポンプ構成要素２３０および潤滑構成要素２４０が統合的に形成されるとき）潤滑溶液で充填される場合がある。他の実施形態では、空洞２５０は手術手順前に操作者により手動で充填される場合がある。可撓性管状構造２４２の表面は潤滑溶液と接触してもよく、回転要素２３２は、回転要素２３２が可撓性管状構造２４２と接触するとき、潤滑溶液で囲まれる。
【００４９】
本明細書で説明される実施形態は、眼科手術用ハンドピースの統合ポンプの回転要素のための潤滑溶液槽を提供する。この潤滑溶液槽は、ポンプの回転要素と、患者の眼から流体を輸送する可撓性管状構造との間の摩擦を低下させる。上記に提供される実施例は単に例示であり、限定であるとは意図されない。当業者は、本開示の範囲内にあることが意図される、開示された実施形態と一致する他のシステムを容易に考え出すことができる。このように、本出願は以下の請求項によってのみ限定される。
本明細書に開示される発明は以下の態様を含む。
〔態様１〕
眼科用ポンプシステムであって、
空洞を画定する筐体と、
前記筐体の前記空洞内に位置付けられた回転要素と、
前記回転要素に隣接して前記筐体内に位置付けられた可撓性管状構造であって、その結果、前記回転要素の回転が前記可撓性管状構造を通して流体を推進する、可撓性管状構造と、
前記回転要素および前記可撓性管状構造の少なくとも一部分の周りで前記空洞内に位置付けられた潤滑溶液と、
を備える、眼科用ポンプシステム。
〔態様２〕
前記潤滑溶液が、平衡塩類溶液（ＢＳＳ）、平衡塩類溶液プラス（ＢＳＳ＋）、粘弾性溶液、および滅菌水、のうちの少なくとも１つを含む、態様１に記載の眼科用ポンプシステム。
〔態様３〕
前記可撓性管状構造の少なくとも一部分が前記筐体の縦軸に沿って伸展する、態様１に記載の眼科用ポンプシステム。
〔態様４〕
前記可撓性管状構造が、前記回転要素に隣接して少なくとも部分的に位置付けられた複数の構成要素を含み、その結果、前記回転要素が前記複数の構成要素のうちの２つ以上と同時に接触する、態様１に記載の眼科用ポンプシステム。
〔態様５〕
前記複数の構成要素が第１の管状要素および第２の管状要素を含み、前記第１および第２の管状要素が前記筐体の周りに対称的に配置される、態様４に記載の眼科用ポンプシステム。
〔態様６〕
前記複数の構成要素が、前記筐体の遠位部分に配置された中心管状要素を含み、前記中心管状要素が前記第１および第２の管状要素と流体連通する、態様５に記載の眼科用ポンプシステム。
〔態様７〕
前記筐体の周りに環状に伸展するチャネルであって、前記第１および第２の管状要素と流体連通する、チャネルをさらに備える、態様５に記載の眼科用ポンプシステム。
〔態様８〕
前記筐体から伸展する突出部であって、前記チャネルと流体連通する内腔を含む、突出部をさらに備える、態様７に記載の眼科用ポンプシステム。
〔態様９〕
前記筐体が手術用構成要素に機械的に連結され、その結果、前記可撓性管状構造が前記手術用構成要素の内腔と流体連通する、態様１に記載の眼科用ポンプシステム。
〔態様１０〕
前記手術用構成要素が超音波水晶体乳化吸引術構成要素である、態様９に記載の眼科用ポンプシステム。
〔態様１１〕
前記回転要素がスクロールポンプである、態様１に記載の眼科用ポンプシステム。
〔態様１２〕
前記スクロールポンプが前記筐体に機械的に連結されたポンプ構成要素内に配置される、態様１１に記載の眼科用ポンプシステム。
〔態様１３〕
眼科手術用装置での使用のための眼科用潤滑キットであって、
空洞を画定する筐体であって、前記空洞が、潤滑溶液で充填され、かつ回転要素を受容するように構成され、前記筐体が、その内部に位置付けられ、かつ前記回転要素が前記筐体内に受容されたとき前記回転要素に隣接するように構成された可撓性管状構造を含み、その結果、前記回転要素の回転が前記可撓性管状構造を通して流体を推進する、筐体と、
前記潤滑溶液の容器と、
を備える、キット。
〔態様１４〕
前記潤滑溶液が、平衡塩類溶液（ＢＳＳ）、平衡塩類溶液プラス（ＢＳＳ＋）、粘弾性溶液、および滅菌水、のうちの少なくとも１つを含む、態様１３に記載の眼科用潤滑キット。
〔態様１５〕
前記可撓性管状構造が、前記回転要素に隣接して少なくとも部分的に位置付けられた複数の構成要素を含み、その結果、前記回転要素が前記複数の構成要素のうちの２つ以上と同時に接触する、態様１３に記載の眼科用潤滑キット。
〔態様１６〕
前記可撓性管状構造が第１の管状要素および第２の管状要素を含み、前記第１および第２の管状要素が前記筐体の周りに対称的に配置される、態様１５に記載の眼科用潤滑キット。
〔態様１７〕
前記筐体が、
前記筐体の周りに環状に伸展するチャネルであって、前記第１および第２の管状要素と流体連通する、チャネル
をさらに備える、態様１６に記載の眼科用潤滑キット。
〔態様１８〕
前記筐体が、
前記筐体から伸展する突出部であって、前記チャネルと流体連通する内腔を含む、突出部をさらに備える、態様１７に記載の眼科用潤滑キット。
〔態様１９〕
前記筐体が手術用構成要素と機械的に連結されるように構成され、その結果、前記可撓性管状構造が前記手術用構成要素と流体連通する、態様１３に記載の眼科用潤滑キット。
〔態様２０〕
眼科用ポンプシステムの組立方法であって、
筐体であって、その内部に、空洞および可撓性管状構造を含む、筐体を得ることと、
前記空洞を潤滑溶液で充填することと、
前記潤滑溶液で充填された前記空洞内に回転要素を挿入することであって、その結果、前記回転要素が前記可撓性管状構造に隣接して位置付けられる、挿入することと、
前記回転要素を活性化することであって、その結果、前記回転要素の回転が前記可撓性管状構造を通して流体を推進する、活性化することと、
を含む、組立方法。
〔態様２１〕
眼科用ポンプシステムの潤滑化方法であって、
筐体の可撓性管状構造を通して流体を方向付けるためにポンプ構成要素の回転要素を回転することであって、前記回転要素が前記筐体の空洞内に位置付けられ、前記可撓性管状構造が前記回転要素に隣接して前記筐体内に位置付けられる、回転することと、
前記空洞内に配置され、かつ前記回転要素の少なくとも一部分および前記可撓性管状構造の少なくとも一部分と接触する潤滑溶液で、前記ポンプ構成要素のうちの１つ以上の要素を潤滑化することと、
を含む、潤滑化方法。
【図１】
0006517796.tif 000002
【図２】
0006517796.tif 000003
【図３】
0006517796.tif 000004
【図４】
0006517796.tif 000005
【図５】
0006517796.tif 000006
【図６】
0006517796.tif 000007
【図７】
0006517796.tif 000008
【図８】
0006517796.tif 000009